【手続補正書】
【提出日】平成16年3月10日(2004.3.10)
【手続補正１】
【補正対象書類名】明細書
【補正対象項目名】全文
【補正方法】変更
【補正の内容】
【発明の名称】遊技機
【特許請求の範囲】
【請求項１】第１構成部品と、その第１構成部品に配設されて使用される第２構成部品とを備えた遊技機において、
前記第１及び第２構成部品の名称や形状等を表す種別データを表示する種別表示部と、その種別表示部に表示される種別データに対応つけて前記第１及び第２構成部品の原材料等を表す仕様データを表示する仕様表示部とを有し、その仕様表示部および種別表示部を前記第１構成部品にまとめて表示したデータ表示手段を備えていることを特徴とする遊技機。
【発明の詳細な説明】
【０００１】
【発明の属する技術分野】
本発明は、遊技機に関し、特に、その解体時において構成部品を原材料毎に分別する作業を容易に行うことができる遊技機に関するものである。
【０００２】
【従来の技術】
遊技機の一種であるパチンコ機は、種々の原材料（材質）で形成された複数の構成部品で構成されている。これらの構成部品には、例えば、木材製の合板材で形成された遊技盤、外枠、前面枠等の木製部品や、ＡＢＳ樹脂やＰＣ樹脂の合成樹脂材料で形成された樹脂製部品や、ステンレス鋼材や黄銅等の金属材料で形成された金属製部品等がある。
【０００３】
ところで、このような複数の構成部品で構成されたパチンコ機が解体（分解）されて廃棄される場合、その各構成部品は、その原材料毎に分別される。原材料毎に分別（選別）された各構成部品は、例えば、その一部のものが焼却や破砕等により廃棄される一方、その他のもの、主に、樹脂製部品が再利用（リサイクル）される。このようなパチンコ機の廃棄に伴う構成部品の分別方式には、種々のものが提案されており、例えば、構成部品毎に原材料を示す文字や記号を刻印するものや、各構成部品毎に原材料を表示したシールを貼付するものがある。
【０００４】
【発明が解決しようとする課題】
しかしながら、上述した刻印やシールで各構成部品の原材料を表示する場合、パチンコ機を解体する作業者は、その解体の際に、各構成部品に表示された原材料を示す刻印やシール等を探して、各構成部品を原材料毎に分別する必要があり、その分、パチンコ機の解体作業が煩雑となってしまうという問題点があった。しかも、パチンコ機を製造する際に、その複数の構成部品に個別に刻印やシールの貼付を行う必要があるため、その分、パチンコ機の製造コストが増加してしまうという問題点があった。
【０００５】
また、パチンコ機に配設される部品が小さい場合や、刻印を設けるスペースやシールを貼付するスペースが小さな部品では原材料を表示することが困難であるという問題点があった。しかも、仮に、刻印やシールを貼付したとしても、原材料の表示自体が小さくなるため、その表示内容を判読することができなかった。よって、このように各構成部品に原材料表示がない場合や、原材料表示の判別が困難な場合には、例えば、再利用可能な構成部品を誤って焼却や破砕処分してしまうことがあり、資源を有効に再利用することができなかった。
【０００６】
本発明は、上述した問題点を解決するためになされたものであり、解体時に構成部品を原材料毎に円滑に分別することができ、かつ、製造コストも低減することができる遊技機を提供することを目的としている。
【０００７】
【課題を解決するための手段】
この目的を達成するために、請求項１記載の遊技機は、第１構成部品と、その第１構成部品に配設されて使用される第２構成部品とを備え、前記第１及び第２構成部品の名称や形状等を表す種別データを表示する種別表示部と、その種別表示部に表示される種別データに対応つけて前記第１及び第２構成部品の原材料等を表す仕様データを表示する仕様表示部とを有し、その仕様表示部および種別表示部を前記第１構成部品にまとめて表示したデータ表示手段を備えている。
【０００８】
【発明の実施の形態】
以下、本発明の好ましい実施例について、添付図面を参照して説明する。本実施例では、遊技機の一例として、いわゆる第１種パチンコ機を用いて説明する。図１は、本実施例におけるパチンコ機１の正面図であり、図中では遊技盤３の前面に植立される複数の障害釘１７の図示を省略している。
【０００９】
図１に示すように、パチンコ機１は、その前面（図１の紙面に対して手前側）に前面枠２が配設され、この前面枠２の後方（図１の紙面に対して奥側）には遊技盤３が取り付けられている。この遊技盤３は、マトア及びブナの木材で構成された略平板状の合板材である基材３ａ（図２参照）で形成されている。この遊技盤３の前面外周部分には、冷間圧延ステンレス鋼帯で円弧状に形成された内レール４と、その内レール４と同様に冷間圧延ステンレス鋼帯で略円弧状に形成された外レール５とが植立されている。
【００１０】
これらの両レール４，５の間には遊技球Ｐが通過可能な案内通路６が設けられており、両レール４，５により囲まれた遊技盤３の前面には遊技球Ｐが打ち込まれる遊技領域７が設けられている。更に、案内通路６の上側端部（図１上側）には遊技領域７へ飛び出した遊技球Ｐが案内通路６へ侵入して逆流することを防止する戻球防止部材８が配設されている。この戻球防止部材８は、遊技球Ｐの逆流を防止するために弾性変形可能な冷間圧延ステンレス鋼板で略平板状に形成された防止片８ａを備えている。この防止片８ａは、ＡＢＳ樹脂で形成された固定具８ｂによって遊技盤３の前面側に固定されている。
【００１１】
遊技盤３の前面の略中央部分には可変表示装置９が配設されている。この可変表示装置９は、複数種類の識別情報としての図柄（画像）などを表示する液晶ディスプレイ（liquid crystal display、以下、単に「ＬＣＤ」と称す）を備え、ＡＢＳ樹脂で略額縁状に形成されたセンタフレーム９ａによって遊技盤３の前面に取り付けられている。また、遊技盤３には、可変表示装置９の左右上方に一対のランプ風車１０，１０が配設されている。このランプ風車１０は、遊技球Ｐの落下経路を変更するためにポリカーボネート（以下、「ＰＣ」と称す）樹脂で形成された風車本体１０ａと、その風車本体１０ａを遊技盤３の前面に取り付けるためにＡＢＳ樹脂で形成された風車フレーム１０ｂとを備えている。
【００１２】
更に、遊技盤３には、可変入賞装置９の左右両側にＰＣ樹脂で形成された一対の普通図柄作動口１１，１１が、その一対の普通図柄作動口１１，１１に隣接してポリエチレン樹脂及びティンフリースチールで形成された一対の風車１２，１２が、可変表示装置９の下方に第１種始動口（普通電動役物に係る入賞口）１３が、それぞれ配設されている。第１種始動口１３は、遊技球Ｐが通過可能な始動口本体１３ａと、その始動口本体１３ａを遊技盤３の前面に取り付けるための始動口フレーム１３ｂとを備えている。尚、第１種始動口１３の始動口本体１３ａはＰＣ樹脂で形成されており、一方、始動口フレーム１３ｂはＡＢＳ樹脂で形成されている。
【００１３】
第１種始動口１３の下方には可変入賞装置１４が設けられている。この可変入賞装置１４はＡＢＳ樹脂で形成されたフレーム１４ａを備えており、このフレーム１４ａには、２以上の遊技球Ｐが同時に通過可能な大入賞口が設けられている。フレーム１４ａの前面側にはＰＣ樹脂で略三日月状に形成されたカバー１４ｂが取着されている。また、遊技盤３には、可変入賞装置１４の左右上方に一対の普通入賞口ユニット１５，１５が配設されている。
【００１４】
この各普通入賞口ユニット１５は、ＡＢＳ樹脂で形成されたユニットフレーム１５ａを備えており、このユニットフレーム１５ａにはＰＣ樹脂で形成された２つの普通入賞口１５ｂと、同じくＰＣ樹脂で形成されたランプカバー１５ｃとが、それぞれ取着されている。普通入賞口１５ｂは、遊技球Ｐが入賞することにより所定個数（例えば、５個から１０個）の賞球を払い出す入賞口である。また、可変入賞装置１４の下方には、普通図柄作動口１１，１１、第１種始動口１３、可変入賞装置１４の大入賞口または複数の普通入賞口１５ｂのいずれにも入賞しなかった遊技球Ｐを遊技領域７外へ排出するため、冷間圧延ステンレス鋼帯で形成されたアウト口１６が設けられている。
【００１５】
次に、図２及び図３を参照して、遊技盤３の詳細について説明する。図２は、遊技盤３の正面図であり、図中では、遊技盤３の遊技領域７に植立される複数の障害釘１７を一部省略して図示している。図２に示すように、遊技盤３の遊技領域７内には、黄銅で形成された複数の障害釘１７が植立されている。この複数の障害釘１７は、遊技領域７内へ打ち込まれた遊技球Ｐが落下する際に衝突して、その落下経路を変動させるためのものである。
【００１６】
ところで、戻球防止部材８の固定具８ｂ、可変表示装置９のセンタフレーム９ａ、ランプ風車１０の風車フレーム１０ｂ、普通図柄作動口１１、第１種始動口１３の始動口フレーム１３ｂ、可変入賞装置１４のフレーム１４ａ、及び、普通入賞口ユニット１５のユニットフレーム１５ａは、遊技盤３の前面にビスＢによりねじ止めされている。このビスＢは、遊技盤３の前面にねじ込まれており、ＳＷＣＨで形成されている。
【００１７】
また、遊技盤３には、外レール５の上側部分にＰＣ樹脂で形成された上コーナ飾り部材１８が取着され、この上コーナ飾り部材１８に連なるように内レール４の右側部分にＡＢＳ樹脂で形成された下コーナ飾り部材１９が取着されている。更に、上述した上コーナ飾り部材１８の内周部分には、ブチルゴムで形成された返しゴム２０が配設されており、この返しゴム２０によって、外レール５により案内された遊技球Ｐが上コーナ飾り部材１８に衝突することが防止される。
【００１８】
遊技盤３の前面には、遊技領域７を装飾するための装飾絵柄（図示せず）が印刷により描かれたセル画シート材２１が全域に貼着（貼付）されている。このセル画シート材２１の右下部分には、上述した遊技盤３に配設された各部材（構成部品）の名称と原材料名を表示したデータ表示部２２が装飾絵柄とともに印刷により表示されている。
【００１９】
このデータ表示部２２は、図１に示すように、遊技盤３がパチンコ機１（前面枠２）に取り付けられた場合に、セル画シート材２１における前面枠２によって覆い隠される部分（位置）に印刷されている。よって、パチンコ機１がパチンコホールに設置されて使用される場合、かかるデータ表示部２２は前面枠２により覆い隠されるので、かかるデータ表示部２２が外部に露出することを防止して、パチンコ機１の美観を維持することができるのである。
【００２０】
図３は、データ表示部２２の拡大図である。データ表示部２２は、上述した遊技盤３に配設される各部材の原材料をまとめて遊技盤３のセル画シート材２１に表示するためのものである。このデータ表示部２２は、図３に示すように、遊技盤３を構成する各部材の種別データである名称をそれぞれ文字で表示（表記）した名称表示部２２ａと、その名称表示部２２ａに表示される各部材の原材料やＪＩＳ規格等の仕様データを文字で表示した仕様表示部２２ｂとを備えている。
【００２１】
名称表示部２２ａは、複数本の罫線で略長方形状に区画されており、その最上段に設けられた表題欄２２ａ１と、その表題欄２２ａ１の下側部分に並べて複数設けられた部品名欄２２ａ２とを備えている。表題欄２２ａ１には、その下側の各部品名欄２２ａ２に遊技盤３の各部材の名称が表示されることを示すように「名称」の文字が表示されている。
【００２２】
また、各部品名欄２２ａ２には、遊技盤３に配設される各部材の名称が文字で表示されている。例えば、遊技盤３の基材３ａが「基材」、内外レール４，５が「レール」、アウト口１６が「アウト口」、戻球防止部材８が「戻球防止部材」、可変表示装置９が「可変表示装置」、ランプ風車１０が「ランプ風車」、普通図柄作動口１１が「普通図柄作動口」、風車１２が「風車」、第１種始動口１３が「第１種始動口」、可変入賞装置１４が「可変入賞装置」、普通入賞口ユニット１５が「普通入賞口ユニット」、障害釘１７が「障害釘」、上コーナ飾り部材１８が「上コーナ飾り部材」、下コーナ飾り部材１９が「下コーナ飾り部材」、返しゴム２０が「返しゴム」、ビスＢが「ビス（黒）」と、それぞれ表示されている。
【００２３】
更に、名称表示部２２ａの部品名欄２２ａ２には、「戻球防止部材」の表示に続いて防止片８ａ及び固定具８ｂが「防止片」及び「固定具」、「可変表示装置」の表示に続いてセンタフレーム９ａが「センタフレーム」、「ランプ風車」の表示に続いて風車本体１０ａ及び風車フレーム１０ｂが「本体」及び「フレーム」、「第１種始動口」の表示に続いて始動口本体１３ａ及び始動口フレーム１３ｂが「本体」及び「フレーム」、「可変入賞装置」の表示に続いてフレーム１４ａ及びカバー１４ｂが「フレーム」及び「カバー」、「普通入賞口ユニット」の表示に続いてユニットフレーム１５ａ、普通入賞口１５ｂ及びランプカバー１５ｃが「フレーム」、「普通入賞口」及び「ランプカバー」と、それぞれ表示されている。
【００２４】
仕様表示部２２ｂは、名称表示部２２ａと同様に、複数本の罫線で略長方形状に区画されており、その最上段に設けられた表題欄２２ｂ１と、その表題欄２２ｂ１の下側部分に並べて複数設けられた材質名欄２２ｂ２とを備えている。表題欄２２ｂ１には、その下側の各材質名欄２２ｂ２に遊技盤３の各部材の原材料が表示されることを示すように「材質」の文字が表示されている。
【００２５】
各材質名欄２２ｂ２には、上述した部品名欄２２ａ２に表示された各部材の名称に対応つけて、その名称により表示される各部材の原材料およびＪＩＳ規格が文字で表示されている。例えば、基材３ａの名称である「基材」が表示された部品名欄２２ａ２の右方に設けられた材質名欄２２ｂ２には、基材３ａの原材料を表す「マトアとブナとの合板材」の文字が表示されている。
【００２６】
また、他の材質名欄２２ｂ２には、各部品名欄２２ａ２の表示に対応つけて、「レール，アウト口」の右方に「冷間圧延ステンレス鋼帯（ＪＩＳＧ４３０５）」、「戻球防止部材  防止片」の右方に「冷間圧延ステンレス鋼板（ＪＩＳＧ４３０５）」、「可変表示装置  センタフレーム」の右方に「ＡＢＳ樹脂」、「ランプ風車  本体」の右方に「ＰＣ樹脂（ＪＩＳＫ６７１９）」、「ランプ風車  フレーム」の右方に「ＡＢＳ樹脂」、「普通図柄作動口」の右方に「ＰＣ樹脂（ＪＩＳＫ６７１９）」、「風車」の右方に「ポリエチレン（ＪＩＳＫ６７４８），ティンフリースチール」、「第１種始動口  本体」の右方に「ＰＣ樹脂（ＪＩＳＫ６７１９）」、「第１種始動口  フレーム」の右方に「ＡＢＳ樹脂」が、それぞれ表示されている。
【００２７】
更に、残りの材質名欄２２ｂ２には、各部品名欄２２ａ２の表示に対応つけて、「可変入賞装置  フレーム」の右方に「ＡＢＳ樹脂」、「可変入賞装置  カバー」の右方に「ＰＣ樹脂（ＪＩＳＫ６７１９）」、「普通入賞口ユニット  フレーム」の右方に「ＡＢＳ樹脂」、「普通入賞口ユニット  普通入賞口」の右方に「ＰＣ樹脂（ＪＩＳＫ６７１９）」、「普通入賞口ユニット  ランプカバー」の右方に「ＰＣ樹脂（ＪＩＳＫ６７１９）」、「障害釘」の右方に「黄銅（ＪＩＳＨ３２６０）」、「上コーナ飾り部材」の右方に「ＰＣ樹脂（ＪＩＳＫ６７１９）」、「下コーナ飾り部材」の右方に「ＡＢＳ樹脂」、「返しゴム」の右方に「ブチルゴム（ＪＩＳＫ６３８０）」、「ビス（黒）」の右方に「ＳＷＣＨ」が、それぞれ表示されている。
【００２８】
以上説明したように、本実施例のパチンコ機１によれば、遊技機３に配設される各部材の原材料やＪＩＳ規格である各仕様データは、遊技盤３に印刷されたデータ表示部２２の仕様表示部２２ｂによって、データ表示部２２の名称表示部２２ａに表示された遊技盤３に配設される各部材の名称とそれぞれ対応つけられつつ、遊技盤３のセル画シート材２１にまとめて表示される。よって、パチンコ機１を解体する作業者は、その解体の際にデータ表示部２２を視認するだけで遊技盤３の各部材の原材料等の各仕様データを認識することができる。従って、従来のパチンコ機のように遊技盤の各部材の原材料を表示する刻印やシール等を探しながらパチンコ機（遊技盤）を解体する必要がなく、その分、パチンコ機１の解体作業を円滑に行うことができる。
【００２９】
しかも、従来のパチンコ機のように遊技盤の各部材を原材料毎に分別して解体するために、遊技盤３の各部材にそれぞれ個別に原材料を表示するための刻印やシール等の貼付をする必要がないので、その分、パチンコ機１の製造工程を簡素化して、かかる製造コストを低減することができるのである。
【００３０】
また、データ表示部２２は、遊技盤３を構成する基材３ａ、各レール４，５及び戻球防止部材８等の各部材の原材料を遊技盤３のセル画シート材２１にまとめて表示することができる。よって、例えば、戻球防止部材８の固定具８ｂ自体にその原材料を表示するための刻印やシール等の貼付ができる箇所（スペース）がないような場合であっても、データ表示部２２により固定具８ｂの原材料を表示することができる。従って、例えば、固定具８ｂを形成するＡＢＳ樹脂が再利用されるような場合に、その固定具８ｂの原材料が不明であるがために、固定具８ｂが焼却等により廃棄されることを防止することができる。その結果、再利用可能な原材料、例えば、ＰＣ樹脂やＡＢＳ樹脂で形成された各部材を無駄に廃棄することなく、これらの資源を有効に再利用することができるのである。
【００３１】
普通入賞口ユニット１５等の原材料の異なる複数のパーツで構成された部材は、データ表示部２２によって、その各パーツの原材料を全て表示することもできる。また、このように原材料の異なる複数のパーツで構成される部材には、普通入賞口ユニット１５の他に、戻球防止部材８、ランプ風車１０、風車１２、第１種始動口１３及び可変入賞装置１４があるが、これらの各部材についても、データ表示部２２によって、その各パーツの原材料を全て表示することができる。よって、これらの各部材における各パーツの全てに個別に原材料を表示するための刻印やシール等の貼付をする必要がないので、その分、パチンコ機１の製造工程を更に簡素化して、かかる製造コストを更に低減することができるのである。
【００３２】
また、データ表示部２２は、遊技盤３の遊技領域７面側に貼付されるセル画シート材２１に印刷される装飾用絵柄とともにまとめて印刷されるので、別途、データ表示部２２が表示されたシール等を製造する必要がない。よって、その分、パチンコ機１全体としての製造コストを低減することができるのである。
【００３３】
次に図４及び図５を参照して、第２実施例のパチンコ機に使用される遊技盤３０について説明する。図４は、第２実施例のパチンコ機に使用される遊技盤３０の正面図であり、遊技盤３０の基材３ａから上コーナ飾り部材１８、下コーナ飾り部材１９及び可変入賞装置１４を取り外した状態を図示している。以下、第１実施例と同一の部分には同一の符号を付してその説明を省略し、異なる部分のみを説明する。
【００３４】
第２実施例のパチンコ機の遊技盤３０は、第１実施例の遊技盤３に対して、データ表示手段を変更したものである。遊技盤３０の前面には、遊技領域７を装飾するための装飾絵柄（図示せず）が印刷により描かれたセル画シート材３１が全域に貼着されている。このセル画シート材３１の右下部分には、遊技盤３０に配設される各部材の名称と原材料の名称とを表示したデータ表示部３２が装飾絵柄とともに印刷により表示されている。
【００３５】
このデータ表示部３２は、セル画シート材３１における下コーナ飾り部材１９の取付位置３３（図４の右下側の斜線部分）と重なる部分に印刷されている。よって、遊技盤３０の基材３ａに下コーナ飾り部材１９が取り付けられた場合に、データ表示部３２は下コーナ飾り部材１９により覆い隠されるので、かかるデータ表示部３２が露出することを防止して、遊技盤３０を使用するパチンコ機の美観を維持することができるのである。
【００３６】
また、セル画シート材３１の左右上部であって、上コーナ飾り部材１９の取付位置３４（図４の上部の斜線部分）には、第２データ表示部３５及び第３データ表示部３６が印刷されている。よって、これらの第２及び第３データ表示部３５，３６は、遊技盤３の基材３ａに上コーナ飾り部材１８が取り付けられた場合に、上コーナ飾り部材１８により覆い隠されるので、かかる第２及び第３データ表示部３５，３６が露出することを防止して、遊技盤３０を使用するパチンコ機の美観を維持することができるのである。
【００３７】
尚、第２データ表示部３５及び第３データ表示部３６のセル画シート材３１への印刷は、セル画シート材３１の装飾絵柄及びデータ表示部３２の印刷と共に行われている。
【００３８】
更に、図４に示すように、可変入賞装置１４の取付位置３７（図４の下部の斜線部分）には、セル画シート材３１の装飾絵柄の印刷と共に、可変入賞装置１４のフレーム１４ａの原材料が「フレーム  ＡＢＳ樹脂」と、可変入賞装置１４のカバー１４ｂの原材料が「カバー  ＰＣ樹脂（ＪＩＳＫ６７１９）」と、それぞれ表示されている。このように、可変入賞装置１４等の外形の大きな部材では、その取付位置３７と重なるセル画シート材３１の部分に、その種別データである名称や原材料等の仕様データを印刷しても良い。しかも、この取付位置３７に表示された種別データ及び仕様データは、可変入賞装置１４が遊技盤３の基材３ａに取り付けられた場合に、可変入賞装置１４により覆い隠されるので、これらの種別データ及び仕様データが露出することを防止して、遊技盤３０を使用するパチンコ機の美観を維持することができるのである。
【００３９】
図５（ａ）は、第２実施例のデータ表示部３２の拡大図であり、図５（ｂ）は、第２データ表示部３５の拡大図であり、図５（ｃ）は、第３データ表示部３６の拡大図である。図５（ａ）に示すように、データ表示部３２は、上述した遊技盤３０に配設される各部材の原材料をまとめて遊技盤３０のセル画シート材２１に表示するためのものである。このデータ表示部３２は、遊技盤３０を構成する各部材の種別データである名称をそれぞれ文字で表示した名称表示部３２ａと、その名称表示部３２ａに表示される各部材の原材料やＪＩＳ規格の仕様データを文字で表示した仕様表示部３２ｂとを備えている。
【００４０】
名称表示部３２ａは、複数本の罫線で略長方形状に区画されており、その最上段に設けられた表題欄３２ａ１と、その表題欄３２ａ１の下側部分に並べて複数設けられた部品名欄３２ａ２とを備えている。表題欄３２ａ１には、その下側の各部品名欄３２ａ２に遊技盤３の各部材の名称が表示されることを示すように「名称」の文字が表示されている。また、各部品名欄３２ａ２には、遊技盤３に配設される各部材の名称が文字で表示されている。
【００４１】
尚、各部品名欄３２ａ２に表示される各部材の名称は、第１実施例の各部品名欄２２ａ２に表示される各部材の名称（可変入賞装置１４の名称を除く）と一致しているので、その説明を省略する。
【００４２】
仕様表示部３２ｂは、名称表示部３２ａと同様に、複数本の罫線で略長方形状に区画されており、その最上段に設けられた表題欄３２ｂ１と、その表題欄３２ｂ１の下側部分に並べて複数設けられた材質名欄３２ｂ２とを備えている。表題欄３２ｂ１には、その下側の各材質名欄３２ｂ２に遊技盤３の各部材の原材料が表示されることを示すように「材質」の文字が表示されている。各材質名欄３２ｂ２には、上述した部品名欄３２ａ２に表示された各部材の名称に対応つけて、その名称により表示される各部材の原材料およびＪＩＳ規格が文字で表示されている。
【００４３】
尚、各材質名欄３２ｂ２に表示される各部材の仕様データは、第１実施例の各材質名欄２２ｂ２に表示される各部材の仕様データ（可変入賞装置１４の仕様データを除く）と一致しているので、その説明を省略する。
【００４４】
図５（ｂ）に示すように、第２データ表示部３５は、セル画シート材３１の左上部に印刷されており、遊技盤３０に配設される各部材のうち再利用可能である部材の名称を表示する再利用部品表示部３５ａを備えている。再利用部品表示部３５ａの上部には、再利用可能な部材の名称を表示する欄であることを示すために「再利用可能部品」の文字が印刷されており、この「再利用可能部品」の文字の下側には、複数本の罫線で区画された略長方形状の部品名欄３５ａ１が設けられている。よって、かかる再利用部品表示部３５ａの部品名欄３５ａ１に再利用可能な部材の名称を印刷することができるのである。
【００４５】
また、再利用部品表示部３５ａの下方には、遊技盤３０に配設される各部材のうち焼却又は破砕が不可能な部材の名称を表示する焼却等不可部品表示部３５ｂが印刷されている。焼却等不可部品表示部３５ｂの上部には、焼却又は破砕が不可能な部品の名称を表示する欄であることを示すために「焼却・破砕不可能部品」の文字が印刷されており、この「焼却・破砕不可能部品」の文字の下側には、複数本の罫線で区画された略長方形状の部品名欄３５ｂ１が設けられている。よって、かかる焼却等不可部品表示部３５ｂの部品名欄３５ｂ１に再利用可能な部材の名称を印刷することができるのである。
【００４６】
このように、第２実施例のパチンコ機では、再利用部品表示部３５ａおよび焼却等不可部品表示部３５ｂによって、遊技盤３０に配設される各部材のうち、再利用可能、又は、焼却あるいは破砕が不可能である部材の名称を表示することができるので、パチンコ機を解体する際に、遊技盤３０の各部材の分別を円滑に行うことができるのである。
【００４７】
図５（ｃ）に示すように、第３データ表示部３６は、セル画シート材３１の右上部に印刷されており、遊技盤３０に配設される各部材をねじ止めするビスＢの種類（種別）を表示するビス種別表示欄３６ａと、そのビス種別表示欄３６ａに表示されるビスＢの本数を表示するための本数表示欄３６ｂが複数本の罫線により区画されて設けられている。ビス種別表示欄３６ａには、ビスＢの種別を表示する欄であることを示すために「ビス種類」の文字が表示されており、この「ビス種類」の表示の左方における空白部分にビスＢの種類を印刷することができるのである。
【００４８】
また、ビス本数表示欄３６ｂには、遊技盤３に配設される各部材をねじ止めするために使用されるビスＢの本数を表示する欄であることを示すために「ビス本数」の文字と、「本」の文字が表示されており、この「ビス種類」の表示と「本」の表示との間の空白部分にビスＢの本数を印刷することができるのである。
【００４９】
更に、ビス本数表示欄３６ｂの下方には、遊技盤３０の重量と、この遊技盤３０が使用されるパチンコ機の重量を表示する重量表示欄３６ｃが複数本の罫線により区画されて設けられている。この重量表示欄３６ｃの上欄には、遊技盤３０の重量を表示する欄であることを示すために「遊技盤重量」及び「ｇ」の文字が表示されており、この「遊技盤重量」の文字と「ｇ」の文字との間の空白部分に遊技盤３０の重量を印刷することができる。一方、この重量表示欄３６ｃの下欄には、パチンコ機の重量を表示する欄であることを示すために「パチンコ機重量」及び「ｇ」の文字が表示されており、この「パチンコ機重量」の文字と「ｇ」の文字との間の空白部分に遊技盤３０の重量を印刷することができるのである。
【００５０】
次に図６及び図７を参照して、第３実施例のパチンコ機に使用される遊技盤４０について説明する。図６は、第３実施例のパチンコ機に使用される遊技盤４０の正面図である。以下、第１実施例と同一の部分には同一の符号を付してその説明を省略し、異なる部分のみを説明する。
【００５１】
第３実施例のパチンコ機の遊技盤４０は、第１実施例の遊技盤３に対して、データ表示手段を変更したものである。遊技盤４０の前面には、遊技領域７を装飾するための装飾絵柄（図示せず）が印刷により描かれたセル画シート材４１が全域に貼着されている。このセル画シート材４１の右下部分には、遊技盤４０に配設される各部材の名称と原材料の名称とを表記したデータ表示部４２が装飾絵柄とともに印刷により表示されている。
【００５２】
このデータ表示部４２は、遊技盤４０がパチンコ機（前面枠）に取り付けられた場合に、セル画シート材４１における前面枠によって覆い隠される部分（位置）に印刷されている。よって、パチンコ機がパチンコホールに設置されて使用される場合、かかるデータ表示部４２は前面枠により覆い隠されるので、かかるデータ表示部４２が外部に露出することを防止して、パチンコ機の美観を維持することができるのである。
【００５３】
図７は、第３実施例のデータ表示部４２の拡大図である。図７に示すように、データ表示部４２は、遊技盤４０に配設される各部材の原材料をまとめて遊技盤４０のセル画シート材４１に表示するためのものである。このデータ表示部４２は、遊技盤４０を構成する各部材を正面視した形状を表す図形（画像）（種別データ）を、遊技盤４０の各部材の取付位置（配設位置）に応じて表示（図示）した部品配置図４２ａを備えている。
【００５４】
部品配置図４２ａの両側部分には、その部品配置図４２ａに表示される各部材の原材料やＪＩＳ規格の仕様データを文字で表示した仕様表示部４２ｂが併記されている。しかも、部品配置図４２ａに表示される各図形と、各仕様表示部４２ｂに表示される遊技盤４０の各部材の原材料やＪＩＳ規格の仕様データとは、部品配置図４２ａの各図形から引き出される複数本の引き出し線４２ｃにより対応付けられている。尚、仕様表示部４２ｂに表示される仕様データの内容は、第１実施例の仕様表示部２２ｂにおける材質名欄２２ｂ２に表示される各仕様データの内容と一致しており、その説明は省略する。
【００５５】
よって、第３実施例のパチンコ機によれば、複数本の引き出し線４２ｃにより、部品配置図４２ａにより表示される各図形と各仕様表示部４２ｂにより表示される仕様データとが対応つけられつつ、遊技盤４０のセル画シート材４１にまとめて表示される。従って、パチンコ機を解体する作業者は、その解体の際にデータ表示部４２を視認するだけで遊技盤４０の各部材の原材料等の各仕様データを認識することができる。その結果、従来のパチンコ機のように遊技盤の各部材の原材料を表示する刻印やシール等を探しながらパチンコ機（遊技盤）を解体する必要がなく、その分、パチンコ機の解体作業を円滑に行うことができる。
【００５６】
しかも、従来のパチンコ機のように遊技盤の各部材を原材料毎に分別して解体するために、遊技盤４０の各部材にそれぞれ個別に原材料を表示するための刻印やシール等の貼付をする必要がないので、その分、パチンコ機の製造工程を簡素化して、かかる製造コストを低減することができるのである。
【００５７】
また、データ表示部４２では、遊技盤４０に配設される各部材の種別データを図形で表示し、その各図形を実際の遊技盤４０の各部材の取付位置に応じた部品配置図４２ａに表示するので、各部材の名称等の種別データを文字で表示する場合のように種別データを識別する際に文字を判読する必要がなく、視覚的に各部材の原材料を認識することができる。よって、文字で表示された種別データを判読する手間が省かれるので、その分、作業者が遊技機（遊技盤）の解体作業を円滑に行うことができるのである。
【００５８】
以上、実施例に基づき本発明を説明したが、本発明は上記の実施例に何ら限定されるものではなく、本発明の趣旨を逸脱しない範囲内で種々の改良変形が可能であることは容易に推察できるものである。
【００５９】
例えば、本実施例では、本発明のデータ表示手段として遊技盤３，３０，４０のセル画シート材２１，３１，４１に印刷されるデータ表示部２２，３２，４２を用いて説明した。しかしながら、例えば、パチンコ機における賞球や貸し球の払い出しに関与する機構盤（第１構成部品）と、その機構盤に配設されるタンクやタンクレール等の各部材（第２構成部品、２以上の機構盤構成部品）とに本発明のデータ表示手段を適用しても良い。即ち、機構盤を構成する各部材の名称や図形等の種別データと、その各部材の原材料やＪＩＳ規格の仕様データとを表示したデータ表示部を、機構盤の一部に設けても良い。
【００６０】
また、本実施例では、データ表示部２２，３２，３５，３６，４２をセル画シート材２１，３１，４１に表示される装飾絵柄と共に印刷することにより形成したが、必ずしもデータ表示部をセル画シート材の装飾絵柄と共に印刷する必要はなく、例えば、一面側に粘着剤に塗布されて粘着面が形成された粘着シール（シール材）の他面側にデータ表示部を印刷しても良い。この粘着シールに印刷されたデータ表示部によれば、粘着シールの貼付位置を適宜変更することにより、データ表示部の位置を変更することができるのである。
【００６１】
データ表示部２２，３２，３５，３６，４２に表示される仕様データの内容は、必ずしも、遊技盤に配設される各部材の原材料やＪＩＳ規格、ビスＢの種類や本数、遊技盤やパチンコ機の重量、又は、再利用可能部品や焼却等不可能部品の表示に限られるものではなく、例えば、パチンコ機や遊技盤の組立や解体に使用される工具名や、遊技盤やパチンコ機に配設される部材の個数などであっても良い。
【００６２】
また、データ表示部には、遊技盤に配設される各部材の再利用回数の表示、再利用された材料（以下、「再利用材料」と称す。）を含む材料で製造された部材である旨の表示、再利用材料を含まない原材料で製造された部材である旨の表示、又は、再利用材料を含む材料で製造された部材である場合には再利用材料の含有率の表示を仕様データとして表示しても良い。
【００６３】
更に、遊技盤に配設される各部材のうち、中古部品としてそのまま再利用される可変表示装置９等のものについては、データ表示部に表示する仕様データとして、その製造年月日や、製造メーカ名や、使用された期間や、これまでの再利用に関する履歴情報等を表示しても良い。
【００６４】
本実施例では、データ表示部２２，３２，３５，３６，４２に表示される各種別データや各仕様データを文字で表示したが、これらの表示方法は、必ずしも文字に限られるものではなく、例えば、記号や数字を規則的に並べて種別データや仕様データを表示しても良い。また、データ表示部に表示される各種別データや各仕様データをバーコードを用いて表示しても良い。
【００６５】
第１及び第２実施例の部品名欄２２ａ２には、例えば、第１種始動口１３を「第１種始動口」と、可変入賞装置１４を「可変入賞装置」と、障害釘１７を「障害釘」と、それぞれ表示した。しかしながら、かかる第１種始動口１３、可変入賞装置１４及び障害釘１７の名称の表示は、必ずしもこれに限られるものではなく、これらの各部材を通称や略称で表示しても良い。具体的には、第１種始動口１３を「チューリップ」と、可変入賞装置１４を「アタッカ」と、障害釘１７を単に「釘」と、表示しても良い。
【００６６】
尚、以下に、本発明の変形例を示す。第１構成部品と、その第１構成部品に配設されて使用される第２構成部品とを備えた遊技機において、前記第２構成部品の名称や形状等を表す種別データを表示する種別表示部と、その種別表示部に表示される種別データに対応つけて前記第２構成部品の原材料等を表す仕様データを表示する仕様表示部とを有し、その仕様表示部および種別表示部を前記第１構成部品に表示したデータ表示手段を備えていることを特徴とする遊技機０。
遊技機０によれば、データ表示手段は、その仕様表示部に表示された第２構成部品の原材料等の仕様データと、種別表示部に表示された第２構成部品の名称や形状等を表す種別データとを対応つけて第１構成部品に表示することができる。よって、例えば、第２構成部品が第１構成部品に２以上配設される場合において、遊技機を解体する作業者は、その解体の際にデータ表示手段のみを視認するだけで２以上の第２構成部品の各仕様データを認識することができる。従って、従来の遊技機のように各構成部品に表示された原材料の刻印やシール等を探しながら遊技機を解体する必要がなく、その分、遊技機の解体作業を円滑に行うことができるという効果がある。
しかも、第２構成部品が第１構成部品に２以上配設される場合、従来の遊技機のように各構成部品を原材料毎に分別して解体するために、２以上の第２構成部品にそれぞれ個別に原材料を表示するための刻印やシール等の貼付をする必要がないので、その分、遊技機の製造工程を簡素化して、かかる製造コストを低減することができるという効果がある。
また、例えば、第２構成部品自体にその原材料を表示するための刻印やシール等の貼付ができる箇所（スペース）がないような場合であっても、データ表示手段により第２構成部品の原材料等の仕様データを第１構成部品に表示することができる。よって、例えば、第２構成部品が再利用可能な原材料で形成されている場合に、その第２構成部品の原材料が不明であるがために、第２構成部品が焼却等により廃棄されることを防止することができる。従って、再利用可能な原材料で形成された構成部品を無駄に廃棄することなく、資源を有効に再利用することができるという効果がある。
更に、例えば、第２構成部品が原材料の異なる複数のパーツで構成された部品である場合には、第１構成部品に設けられたデータ表示手段によって、第２構成部品の各パーツを形成する原材料を全て表示することもできる。よって、かかる場合には、第２構成部品を構成する各パーツの全てに個別に原材料を表示するための刻印やシール等の貼付をする必要がないので、その分、遊技機の製造工程を更に簡素化して、かかる製造コストを更に低減することができるという効果がある。
遊技機０において、前記種別表示部に表示される種別データは、前記第２構成部品の名称を文字や記号で表したものであり、前記仕様表示部に表示される仕様データは、前記第２構成部品の原材料等を文字や記号で表したものであることを特徴とする遊技機１。
【００６７】
遊技機０において、前記種別表示部に表示される種別データは、前記第２構成部品の形状を表す図形であり、前記仕様表示部に表示される仕様データは、前記第２構成部品の原材料等を文字や記号で表したものであることを特徴とする遊技機２。
【００６８】
遊技機０又は２において、前記第１構成部品には前記第２構成部品が２以上配設されており、前記種別表示部に表示される種別データは、前記２以上の第２構成部品の形状を表す各図形を前記第１構成部品における前記２以上の第２構成部品の配設位置に応じて図示した配置図であり、前記仕様表示部に表示される仕様データは、前記２以上の第２構成部品の原材料等を文字や記号で表したものであり、更に、前記データ表示手段は、前記２以上の第２構成部品の配置図に図示される各図形と前記２以上の第２構成部品の原材料等を表す文字や記号とを、それぞれ対応つける引き出し線を備えていることを特徴とする遊技機３。
【００６９】
第１構成部品と、その第１構成部品に配設されて使用される第２構成部品とを備えた遊技機において、前記第１及び第２構成部品の名称や形状等を表す種別データを表示する種別表示部と、その種別表示部に表示される種別データに対応つけて前記第１及び第２構成部品の原材料等を表す仕様データを表示する仕様表示部とを有し、その仕様表示部および種別表示部を前記第１構成部品にまとめて表示したデータ表示手段を備えていることを特徴とする遊技機４。
【００７０】
この遊技機４によれば、データ表示手段は、その仕様表示部に表示された第１及び第２構成部品の原材料等の各仕様データと、種別表示部に表示された第１及び第２構成部品の名称や形状等を表す各種別データとを対応つけて第１構成部品にまとめて表示することができる。よって、遊技機を解体する作業者は、その解体の際にデータ表示手段のみを視認するだけで各構成部品の各仕様データを認識することができるので、従来の遊技機のように各構成部品に表示された原材料の刻印やシール等を探しながら遊技機を解体する必要がなく、その分、遊技機の解体作業を円滑に行うことができるのである。
【００７１】
しかも、従来の遊技機のように各構成部品を原材料毎に分別して解体するために、各構成部品にそれぞれ個別に原材料を表示するための刻印やシール等の貼付をする必要がないので、その分、遊技機の製造工程を簡素化して、かかる製造コストを低減することができるのである。
【００７２】
遊技機４において、前記種別表示部に表示される種別データは、前記第１及び第２構成部品の名称を文字や記号で表したものであり、前記仕様表示部に表示される仕様データは、前記第１及び第２構成部品の原材料等を文字や記号で表したものであることを特徴とする遊技機５。
【００７３】
遊技機４において、前記種別表示部に表示される種別データは、前記第１及び第２構成部品の形状を表す図形であり、前記仕様表示部に表示される仕様データは、前記第１及び第２構成部品の原材料等を文字や記号で表したものであることを特徴とする遊技機６。
【００７４】
遊技機４、又は，遊技機６において、前記種別表示部に表示される種別データは、前記第１及び第２構成部品の形状を表す各図形を前記第１及び第２構成部品の配設位置に応じて図示した配置図であり、前記仕様表示部に表示される仕様データは、前記第１及び第２構成部品の原材料等を文字や記号で表したものであり、更に、前記データ表示手段は、前記第１及び第２構成部品の配置図に図示される各図形と前記第１及び第２構成部品の原材料等を表す文字や記号とを、それぞれ対応つける引き出し線を備えていることを特徴とする遊技機７。
【００７５】
遊技機０から７のいずれかにおいて、前記第１構成部品は、遊技球が打ち込まれて遊技が行われる遊技領域が設けられた遊技盤で構成され、前記第２構成部品は、その遊技盤の前記遊技領域面側に配設される２以上の遊技盤構成部品で構成されており、前記データ表示手段は、前記遊技盤の前記遊技領域面側に設けられ、かつ、前記２以上の遊技盤構成部品の少なくとも１つにより覆い隠されていることを特徴とする遊技機８。
【００７６】
遊技機０から７のいずれかにおいて、前記第１構成部品が取り付けられる前面枠を備えており、前記第１構成部品は、遊技球が打ち込まれて遊技が行われる遊技領域が設けられた遊技盤で構成され、前記第２構成部品は、その遊技盤の前記遊技領域面側に配設される２以上の遊技盤構成部品で構成されており、前記データ表示手段は、前記遊技盤の前記遊技領域面側に設けられ、かつ、前記遊技盤が前記前面枠に取り付けられた場合にその前面枠により覆い隠されることを特徴とする遊技機９。
【００７７】
遊技機０，８，９において、前記遊技盤の遊技領域面側に貼付されその遊技領域を装飾するための装飾用絵柄が印刷されたセル画部材を備えており、前記データ表示手段は、そのセル画部材に前記装飾用絵柄とともに印刷されていることを特徴とする遊技機１０。
【００７８】
この遊技機１０によれば、データ表記手段は、遊技盤の遊技領域面側に貼付されるセル画部材に印刷される装飾用絵柄とともにまとめて印刷されるので、別途、データ表示手段を製造する必要がない。よって、その分、遊技機全体としての製造コストを低減することができるのである。
【００７９】
遊技機０から７のいずれかにおいて、前記第１構成部品は賞球や貸し球の払い出しに関与する機構盤で構成され、前記第２構成部品はその機構盤に配設されその機構盤を構成する２以上の機構盤構成部品で構成されており、前記データ表示手段は前記機構盤の一部に設けられていることを特徴とする遊技機１１。
【００８０】
遊技機０から１１のいずれかにおいて、前記データ表示手段は、前記第１及び第２構成部品と別個に形成されると共に、１面に粘着材等で形成された粘着面を備えたシール材で構成されていることを特徴とする遊技機１２。
【００８１】
この遊技機１２によれば、データ表記手段は、それを構成するシール材が粘着面を介して第１構成部品に貼付されることにより、第２構成部品の原材料等の仕様データを第１構成部品に表示することができる。よって、例えば、第２構成部品が第１構成部品に２以上配設される場合、従来の遊技機のように、これらの２以上の第２構成部品に原材料を表示するための刻印やシール等の貼付を個別にする必要がなく、その分、遊技機の製造工程を簡素化して、かかる製造コストを低減することができるのである。
【発明の効果】
【００８２】
本発明の遊技機によれば、データ表示手段は、その仕様表示部に表示された第１及び第２構成部品の原材料等の各仕様データと、種別表示部に表示された第１及び第２構成部品の名称や形状等を表す各種別データとを対応つけて第１構成部品にまとめて表示するので、遊技機を解体する作業者は、その解体の際にデータ表示手段のみを視認するだけで各構成部品の各仕様データを認識することができる。よって、従来の遊技機のように各構成部品に表示された原材料の刻印やシール等を探しながら遊技機を解体する必要がなく、その分、遊技機の解体作業を円滑に行うことができるという効果がある。
【００８３】
しかも、従来の遊技機のように各構成部品を原材料毎に分別して解体するために、各構成部品にそれぞれ個別に原材料を表示するための刻印やシール等の貼付をする必要がないので、その分、遊技機の製造工程を簡素化して、かかる製造コストを低減することができるという効果がある。
【００８４】
また、例えば、第２構成部品自体にその原材料を表示するための刻印やシール等の貼付ができる箇所（スペース）がないような場合であっても、データ表示手段により第２構成部品の原材料等の仕様データを第１構成部品に表示することができる。よって、例えば、第２構成部品が再利用可能な原材料で形成されている場合に、その第２構成部品の原材料が不明であるがために、第２構成部品が焼却等により廃棄されることを防止することができる。従って、再利用可能な原材料で形成された構成部品を無駄に廃棄することなく、資源を有効に再利用することができるという効果がある。
【００８５】
更に、例えば、第２構成部品が原材料の異なる複数のパーツで構成された部品である場合には、第１構成部品に設けられたデータ表示手段によって、第２構成部品の各パーツを形成する原材料を全て表示することもできる。よって、かかる場合には、第２構成部品を構成する各パーツの全てに個別に原材料を表示するための刻印やシール等の貼付をする必要がないので、その分、遊技機の製造工程を更に簡素化して、かかる製造コストを更に低減することができるという効果がある。
【図面の簡単な説明】
【図１】本発明の一実施例であるパチンコ機の正面図である。
【図２】遊技盤の正面図である。
【図３】データ表示部の拡大図である。
【図４】第２実施例のパチンコ機に使用される遊技盤の正面図である。
【図５】（ａ）は、第２実施例のデータ表示部の拡大図であり、（ｂ）は、第２データ表示部の拡大図であり、（ｃ）は、第３データ表示部の拡大図である。
【図６】第３実施例のパチンコ機に使用される遊技盤の正面図である。
【図７】第３実施例のデータ表示部の拡大図である。
【符号の説明】
１                パチンコ機（遊技機）
２                前面枠
３，３０，４０    遊技盤（第１構成部品）
３ａ              基材（遊技盤の一部、第１構成部品の一部）
４                内レール（遊技盤構成部品、第２構成部品の一部）
５                外レール（遊技盤構成部品、第２構成部品の一部）
７                遊技領域
８                戻球防止部材（遊技盤構成部品、第２構成部品の一部）
９                可変表示装置（遊技盤構成部品、第２構成部品の一部）
１０              ランプ風車（遊技盤構成部品、第２構成部品の一部）
１１              普通図柄作動口（遊技盤構成部品、第２構成部品の一部）
１２              風車（遊技盤構成部品、第２構成部品の一部）
１３              第１種始動口（遊技盤構成部品、第２構成部品の一部）
１４              可変入賞装置（遊技盤構成部品、第２構成部品の一部）
１５              普通入賞ユニット（遊技盤構成部品、第２構成部品の一部）
１６              アウト口（遊技盤構成部品、第２構成部品の一部）
１７              障害釘（遊技盤構成部品、第２構成部品の一部）
１８              上コーナ飾り部材（遊技盤構成部品、第２構成部品の一部）
１９              下コーナ飾り部材（遊技盤構成部品、第２構成部品の一部）
２０              返りゴム（遊技盤構成部品、第２構成部品の一部）
２１，３１，４１  セル画シート材（セル画部材、遊技盤の一部、第１構成部品の一部）
２２，３２，４２  データ表示部（データ表示手段）
２２ａ２，３２ａ２  部品名欄（種別表示部）
２２ｂ２，３２ｂ２  材質名欄（仕様表示部）
３５              第２データ表示部
３６              第３データ表示部
４２ａ            部品配置図（配置図、種別表示部）
４２ｂ            仕様表示部
４２ｃ            引き出し線
Ｂ                ビス（遊技盤構成部品、第２構成部品の一部）
Ｐ                遊技球（球）